(57)【要約】【課題】封緘性を損なうことなく、容易に開封することができ、再封緘することもできる包装箱を提供する。【解決手段】前面板１、一対の側面板２及び後面板３が周方向に連設され、後面板３から延出された蓋板５を、側面板２から延出された蓋受片７に重ね、蓋板５の先端に連設された差込片６を前面板１の内側に差し込んで封緘する包装箱において、前面板１に幅方向に延びる前折線１１を入れ、前折線１１が前面板１と側面板２の稜線に交わる稜部交点Ｐから前面板１の上端及び側面板２の上端へかけてそれぞれ斜め方向に山折線１２を入れると共に、２本の山折線１２に挟まれた折込部１３の中間に稜部交点Ｐから上端へかけて谷折線１４を入れ、差込片６の基部両側に切欠部１７を形成する。折込部１３を内側へ押し込むと、折込部１３が差込片６の切欠部１７に係合して、封緘状態が維持される。【選択図】図３
2018002212.tif 000002
【特許請求の範囲】
【請求項１】
前面板(1)、一対の側面板(2)及び後面板(3)が周方向に連設され、後面板(3)の上端から蓋板(5)が、側面板(2)の上端から蓋受片(7)がそれぞれ延出され、蓋板(5)を蓋受片(7)に折り重ね、蓋板(5)の先端に連設された差込片(6)を前面板(1)の内側に差し込んで封緘する包装箱において、
前面板(1)に幅方向に延びる前折線(11)が入れられ、前面板(1)と側面板(2)の稜線が前折線(11)に交わる稜部交点(P)から前面板(1)及び側面板(2)の上端へかけて、それぞれ斜め方向に延びる山折線(12)が入れられると共に、２本の山折線(12)に挟まれた折込部(13)の中間に稜部交点(P)から上端へかけて谷折線(14)が入れられ、差込片(6)の基部両側には切欠部(17)が形成されており、
折込部(13)を内側へ押し込むと、折込部(13)が山折線(12)及び谷折線(14)沿いに折れ曲がって折り込まれると共に、前面板(1)が前折線(11)沿いに折れ曲がって、前面板(1)の前折線(11)より上方部分が上方へかけて後方へ傾き、折込部(13)が差込片(6)の切欠部(17)に係合して、封緘状態が維持されることを特徴とする包装箱。
【発明の詳細な説明】
【技術分野】
【０００１】
この発明は、タックエンドと呼ばれる差込封緘式の包装箱に関するものである。
【背景技術】
【０００２】
一般に、食品や薬品等を収納する包装箱として、図５に示すような包装箱が使用されている（下記特許文献１の段落［０００２］−［０００３］及び図５参照）。
【０００３】
この包装箱は、前面板５１、一対の側面板５２及び後面板５３が周方向に連設され、後面板５３の上端から蓋板５４が、側面板５２の上端から蓋受片５５がそれぞれ延出され、蓋板５４を蓋受片５５に折り重ね、蓋板５４の先端に連設された差込片５６を前面板５１と蓋受片５５の間に差し込んで封緘するものである。
【０００４】
この包装箱では、蓋板５４と差込片５６の境界に両側端から切込５７が入れられ、差込片５６の切込５７に臨む両端基部が蓋受片５５の前縁部に係合して、蓋板５４がロックされるようになっている。このロック機構は、パイロックと呼ばれている。
【０００５】
このようなパイロックにより封緘された包装箱を開封する際には、蓋板５４の前端と前面板５１との間に指を差し込み、蓋板５４を撓ませる等の方法により、差込片５６の両端基部と蓋受片５５の前縁部との係合を解除する。
【０００６】
また、下記特許文献２，３には、封緘状態をより確実なものにして、内容物に対するいたずら等を防止するため、差込片が抜けないように係合させ、又は糊貼りし、封緘部分にミシン目等の切目線を入れておき、開封に際しては、切目線を切断して蓋板を開くものが記載されている。
【先行技術文献】
【特許文献】
【０００７】
【特許文献１】特開２００２−１０４３７８号公報
【特許文献２】特開２０１４−５０４６号公報
【特許文献３】特許第５３３１５９５号公報
【発明の概要】
【発明が解決しようとする課題】
【０００８】
しかしながら、上記特許文献１に記載されたように、パイロックにより封緘される包装箱では、開封に際して、差込片５６の両端基部と蓋受片５５の前縁部との係合を解除することが難しく、開封が困難な場合がある。
【０００９】
このような場合に、無理に変形させて開封しようとすると、蓋板５４や差込片５６が大きく折れ曲がったり、切込５７から蓋板５４が破れたりして、内容物を必要量だけ取り出した後に再封緘できなくなる恐れがある。
【００１０】
また、特許文献２，３に記載されたように、開封時に破壊する包装箱は、内容物をその性質上、一度に全て取り出すことを前提として設計されたものであって、もとより再封緘することができない。
【００１１】
そこで、この発明は、封緘性を損なうことなく、容易に開封することができ、再封緘することもできる包装箱を提供することを課題とする。
【課題を解決するための手段】
【００１２】
上記課題を解決するため、この発明は、前面板、一対の側面板及び後面板が周方向に連設され、後面板の上端から蓋板が、側面板の上端から蓋受片がそれぞれ延出され、蓋板を蓋受片に折り重ね、蓋板の先端に連設された差込片を前面板の内側に差し込んで封緘する包装箱において、
前面板に幅方向に延びる前折線が入れられ、前面板と側面板の稜線が前折線に交わる稜部交点から前面板及び側面板の上端へかけて、それぞれ斜め方向に延びる山折線が入れられると共に、２本の山折線に挟まれた折込部の中間に稜部交点から上端へかけて谷折線が入れられ、差込片の基部両側には切欠部が形成されており、
折込部を内側へ押し込むと、折込部が山折線及び谷折線沿いに折れ曲がって折り込まれると共に、前面板が前折線沿いに折れ曲がって、前面板の前折線より上方部分が上方へかけて後方へ傾き、折込部が差込片の切欠部に係合して、封緘状態が維持されるものとしたのである。
【発明の効果】
【００１３】
この発明に係る包装箱は、折込部を内側へ押し込むだけで、折込部が差込片の切欠部に係合して、蓋板が開かないようにロックされ、封緘状態が維持される。そして、封緘状態では、前面板の前折線より上方部分が傾斜しているので、外観が特徴あるものとなり、美粧性や訴求性が向上する。
【００１４】
また、前面板の傾斜部分の上端を手前に引くと、折込部と差込片の切欠部との係合が解除されて、蓋板が持ち上がり、僅かな力で容易に開封できるため、年齢や障害の有無に関わらず扱いやすいユニバーサルデザインの要請に適応した包装が可能となる。
【００１５】
また、開封に際し、切目線を切断するような破壊を伴うことがないので、内容物を必要量だけ取り出した後、開封前と同様の形状に再封緘することができ、何度でも開封と再封緘を繰り返すことができる。
【図面の簡単な説明】
【００１６】
【図１】この発明の実施形態に係る差込封緘式の包装箱のブランクを示す図
【図２】同上の組立封緘過程を示す斜視図
【図３】同上の封緘状態を示す斜視図
【図４】同上の開封過程を示す斜視図
【図５】特許文献１に記載のパイロックを備えた包装箱を示す斜視図
【発明を実施するための形態】
【００１７】
以下、この発明の実施形態を添付図面に基づいて説明する。
【００１８】
図１に示すように、この包装箱を形成する板紙のブランクでは、前面板１の両側に側面板２が連設され、一方の側面板２に後面板３及び継代片４が順次連設されている。後面板３の上端には蓋板５及び差込片６が順次連設され、一対の側面板２の上端には蓋受片７が連設されている。後面板３の下端には、底板８及び差込片９が順次連設され、一対の側面板２の下端には底受片１０が連設されている。
【００１９】
前面板１には、上端から下方へ間隔をあけて、両側の側面板２との稜線間にわたり幅方向に延びる前折線１１が入れられている。
【００２０】
そして、前折線１１が前面板１と側面板２の稜線に交わる稜部交点Ｐから前面板１の上端及び側面板２の上端へかけて、それぞれ斜め方向に山折線１２が入れられている。
【００２１】
また、２本の山折線１２に挟まれた折込部１３の中間には、稜部交点Ｐから上端へかけて谷折線１４が入れられている。谷折線１４は、板紙の表面側が窪む谷折り方向へ折れ曲がりやすいように、稜部交点Ｐ寄りの部分に切目を入れたものとされている。
【００２２】
また、蓋受片７の前面板１寄りの端縁には、折曲片１５が連設され、折曲片１５と折込部１３の上端との間は切り離されている。前面板１の上端中央部には、半円状に膨出した摘み片１６が設けられている。
【００２３】
さらに、差込片６の基部両側には、蓋板５との境界の折目線へかけて、三角形状に切れ込んだ切欠部１７が形成されている。
【００２４】
ここで、蓋板５の後面板３からの延出長さＬは、側面板２の上辺の組立時における後端から折曲部１３側の端部までの寸法である側面上辺長さＳと等しくなっている。
【００２５】
上記のようなブランクは、製造工程において、一方の側面板２と後面板３の境界及び前面板１と他方の側面板２の境界に沿ってブランクを折り重ね、継代片４を他方の側面板２に貼着し、前面板１、一対の側面板２及び後面板３が周方向に連設されて折り畳まれた状態にし、この折畳状態で保管しておく。
【００２６】
このように製造された包装箱を使用する際には、図２に示すように、前面板１、一対の側面板２及び後面板３を角筒状に立体化し、一対の側面板２から底受片１０を内側へ折り曲げ、底板８を底受片１０に折り重ね、差込片９を前面板１の下部と底受片１０の間に差し込む。これにより、差込片９と底受片１０とは、一般的なパイロックにより係合し、底板８が閉じた状態に保持される。
【００２７】
そして、箱内に内容物を収納し、一対の側面板２から蓋受片７を内側へ折り曲げると共に、蓋受片７から折曲片１５を下方へ折り曲げた状態で、後面板３から蓋板５を前方へ折り曲げ、蓋板５から差込片６を下方へ折り曲げる。
【００２８】
その後、図３に示すように、蓋板５を蓋受片７の上面に重ね、差込片６を折曲片１５と前面板１の間に差し込んで、一対の折込部１３を内側へ押し込む。
【００２９】
この折込部１３の押し込みに伴い、折込部１３が山折線１２及び谷折線１４沿いに屈曲して折り込まれると共に、前面板１が前折線１１沿いに折れ曲がり、前面板１の前折線１１より上方部分が上方へかけて後方へ傾き、折込部１３が差込片６の切欠部１７に係合して、蓋板５が閉じた状態に保持される。
【００３０】
上記のように、この包装箱は、折込部１３を内側へ押し込むだけで、折込部１３が差込片６の切欠部１７に係合して、蓋板５が開かないようにロックされ、封緘状態が維持される。そして、封緘状態では、前面板１の前折線１１より上方部分が傾斜しているので、外観が特徴あるものとなり、美粧性や訴求性が向上する。
【００３１】
また、この包装箱を開封する際には、図４に示すように、前面板１の傾斜部分の上端から延びる摘み片１６を手前に引くと、折込部１３と差込片６の切欠部１７との係合が解除されて、蓋板５が持ち上がり、僅かな力で容易に開封できるため、年齢や障害の有無に関わらず扱いやすいユニバーサルデザインの要請に適応した包装が可能となる。
【００３２】
また、開封に際し、切目線を切断するような破壊を伴うことがなく、内容物を必要量だけ取り出した後、開封前と同様の形状に再封緘することができ、何度でも開封と再封緘を繰り返すことができるので、一度に全部食べきることなく漸次消費する食品や複数回に分けて服用する薬品等の包装に適した包装箱となる。
【００３３】
なお、上記実施形態では、前面板１の上端に開封用の摘み片１６を設けたものを例示したが、これに替えて、前面板１の上端中央部に凹所を設けておき、その凹所に指を掛けて前面板１の傾斜部分を手前に引っ張ることにより、開封するようにしてもよい。
【００３４】
また、封緘状態での密閉性を高めるため、蓋受片７の前端に折曲片１５を連設したものを例示したが、高度な密閉性を要求されない内容物を包装する包装箱では、折曲片１５を省略しても、蓋板５のロック機能が損なわれることがない。
【符号の説明】
【００３５】
１  前面板
２  側面板
３  後面板
４  継代片
５  蓋板
６  差込片
７  蓋受片
８  底板
９  差込片
１０  底受片
１１  前折線
１２  山折線
１３  折込部
１４  谷折線
１５  折曲片
１６  摘み片
１７  切欠部
Ｐ  稜部交点
【図１】
2018002212.tif 000003
【図２】
2018002212.tif 000004
【図３】
2018002212.tif 000005
【図４】
2018002212.tif 000006
【図５】
2018002212.tif 000007